(57)【要約】      （修正有）【課題】強風に耐える折り畳み傘のリンク部材構造を提供する。【解決手段】親骨と、受け骨と、細長状を呈する枢設骨とを有し、該枢設骨は、一端が前記親骨に設けられたリンク部材に枢設されて且つ他端が前記受け骨の外端に枢設される。【選択図】図１
0003171063.tif 000002
【実用新案登録請求の範囲】
【請求項１】
親骨と、受け骨と、細長状を呈する枢設骨とを有し、
該枢設骨は、一端が前記親骨に設けられたリンク部材に枢設されて且つ他端が前記受け骨の外端に枢設されることを特徴とする折り畳み傘のリンク部材構造。
【請求項２】
前記リンク部材には、タブが形成され、
前記枢設骨には、一端に第一クリップ部が形成されて且つ他端に第二クリップ部が形成されて、前記第一クリップ部は、前記リンク部材のタブの両側に位置するように設けられることを特徴とする請求項１に記載の折り畳み傘のリンク部材構造。
【請求項３】
前記受け骨の外端が前記枢設骨の他端から枢設骨の長さの１/４である箇所に枢設されることを特徴とする請求項１または２に記載の折り畳み傘のリンク部材構造。
【請求項４】
前記枢設骨は、金属薄板を折って構成されるものであることを特徴とする請求項１乃至３のいずれか一項に記載の折り畳み傘のリンク部材構造。
【考案の詳細な説明】
【技術分野】
【０００１】
本考案は、特に折り畳み傘に設けられると共に、強風に耐えるリンク部材構造に関するものである。
【背景技術】
【０００２】
図７に示すように、従来の折り畳み傘は、中棒９１と、中棒９１の上端近傍に設けられる上ロクロ９２と、上ロクロ９２の下方に位置するように中棒９１に沿ってスライド自在に設けられる下ロクロ９３と、上ロクロ９２に枢設される複数の親骨９４と、一端が下ロクロ９３に枢設されて且つ他端が親骨９４に枢設される複数の受け骨９５とを有する。親骨９４はそれぞれ、上ロクロ９２に枢設される後段９４１と、後段９４１に連設される前段９４２と、後段９４１と前段９４２とを接合して且つ受け骨９５と枢設するリンク部材９４３とを備える。
【０００３】
傘が閉じた状態においては、下ロクロ９３が中棒９１の下方に移動して、親骨９４及び受け骨９５が中棒９１とほぼ平行となる。傘を開く際は、使用者が下ロクロ９３を中棒９１に沿って上方に押し上げることによって、受け骨９５が下ロクロ９３に対して枢動すると同時に、リンク部材９４３を介して受け骨９５に枢設される親骨９４が上ロクロ９２に対して枢動する。下ロクロ９３が中棒９１の上方の所定位置（上ロクロ９２の直下）まで摺動し、傘が完全に開いた状態になると、受け骨９５及び親骨９４の枢動が規制されて位置決めされる。
【考案の概要】
【考案が解決しようとする課題】
【０００４】
傘の使用時において、特に強風に煽られる場合に、傘生地が受け骨及び親骨を下ロクロ及び上ロクロに対してさらに上方に枢動させようとすることがあるが、下ロクロが所定位置より上方に移動することを制限することによって、受け骨及び親骨が定められた範囲を超えて枢動することができないようにしている。
【０００５】
しかしながら、風が強過ぎれば、強風に煽られた傘生地が受け骨及び親骨を枢動させようとする力が強くなり、受け骨と親骨との枢設箇所、即ちリンク部材を変形させたり壊したりして、傘を開閉自在にできなくする虞があった。
【０００６】
そして、従来の携帯性に優れる折り畳み傘は、普通の長傘のものに比べて細く作られている親骨及び受け骨に合わせて、リンク部材の強度が低く、強風に煽られた際、その力に抵抗する力が弱いので、すぐに壊してしまうという問題があった。その為、リンク部材を改良する必要がある。
【課題を解決するための手段】
【０００７】
本考案に係る折り畳み傘のリンク部材構造は、親骨と、受け骨と、細長状を呈する枢設骨とを有するものであって、該枢設骨は、一端が前記親骨に設けられたリンク部材に枢設されて且つ他端が前記受け骨の外端に枢設されるものである。
【０００８】
前記リンク部材には、タブが形成され、
前記枢設骨には、一端に第一クリップ部が形成されて且つ他端に第二クリップ部が形成されて、前記第一クリップ部は、前記リンク部材のタブの両側に位置するように設けられることが好ましい。
【０００９】
前記受け骨の外端が前記枢設骨の他端から枢設骨の長さのほぼ１/４である箇所に枢設されることが好ましい。
【００１０】
前記枢設骨は、金属薄板を折って構成されるものであってもよい。
【考案の効果】
【００１１】
本考案に係る折り畳み傘のリンク部材構造は上記の如く、枢設骨を受け骨とリンク部材と間に設けて、それぞれの連結部を枢動自在にしたから、傘が強風に煽られる際に、親骨及び受け骨が枢動することによって、リンク部材への強風の衝撃を緩和し、さらに、傘生地が裏返った際には、傘生地を元に戻せばよく、強風に耐えると共に、簡単に壊れることのない折り畳み傘のリンク部材構造を提供することができる。
【図面の簡単な説明】
【００１２】
【図１】本考案に係る折り畳み傘のリンク部材構造の斜視図である。
【図２】本考案に係る折り畳み傘のリンク部材構造の部分分解図である。
【図３】本考案に係る折り畳み傘のリンク部材構造の部分側面図である。
【図４】本考案に係る折り畳み傘のリンク部材構造において傘が強風の衝撃を緩和する状態を示す部分側面図である。
【図５】本考案に係る折り畳み傘のリンク部材構造において傘が強風で裏返った状態を示す部分側面図である。
【図６】本考案に係る折り畳み傘のリンク部材構造において傘が強風で裏返った状態を示す斜視図である。
【図７】従来の折り畳み傘の部分側面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１乃至図３に示すように、本考案に係る折り畳み傘は、細長状の棒体である中棒１０と、中棒１０の上端近傍に設けられる上ロクロ２０と、上ロクロ２０の下方に位置するように中棒１０に沿ってスライド自在に設けられる下ロクロ３０と、互いに等角度をおいて上ロクロ２０に枢設される複数の親骨４０と、互いに等角度をおいて下ロクロ３０に枢設される複数の受け骨５０と、親骨４０の上部に複数の親骨４０を覆うように設けられる傘生地６０とを有する。親骨４０は、上ロクロ２０に枢設される後段４１と、後段４１に延設される中段４２と、後段４１と中段４２とを接合して且つ下側にタブ４３１が突設されるリンク部材４３と、一端が中段４２に枢設される前段４５とを有する。
【００１５】
さらに、本考案に係る折り畳み傘は、親骨４０及び受け骨５０それぞれと枢設する枢設骨４４を有する。そして、本考案に係る折り畳み傘のリンク部材構造は、主に、親骨４０と、受け骨５０と、枢設骨４４とからなる。枢設骨４４は、細長状を呈し且つ金属薄板を折り曲げ加工して形成されたものであり、一端には第一クリップ部４４１が形成され、他端には第二クリップ部４４２が形成される。
【００１６】
第一クリップ部４４１は、リンク部材４３のタブ４３１の両側に位置するように設けられるものであり、リンク部材４３と枢設骨４４とは、第一クリップ部４４１及びタブ４３を介してピン４６によって枢設される。第二クリップ部４４２は、受け骨５０の外端を挟むように設けられ、受け骨５０と枢設骨４４と、第二クリップ部４４２を介してピン４６によって枢設される。このように、親骨４０のリンク部材４３及び受け骨５０はそれぞれ、第一クリップ４４１及び第二クリップ４４２を介して枢設骨４４の両端に枢設される。なお、受け骨５０の外端が枢設骨４４の第二クリップ部４４２の外端から枢設骨４４の長さのほぼ１/４である箇所に枢設されることが好ましい。
【００１７】
本考案に係る折り畳み傘を使用に際して、下ロクロ３０を所定位置に位置決めした状態、すなわち傘を完全に開いた状態においては、枢設骨４４は親骨４０とほぼ平行となり、枢設骨４４及び親骨４０は受け骨５０に支持される。この際、受け骨５０及び親骨４０の下方への枢動は規制される。
【００１８】
一方、図４乃至図６に示すように、受け骨５０及び親骨４０の上方への枢動は、受け骨５０および枢設骨４４がほぼ直線状になるまで規制されない。これは、受け骨５０と親骨４０のリンク部材４３とを直接枢設する従来のものとは異なり、枢設骨４４を受け骨５０の外端とリンク部材４３と間に設けて、それぞれの連結部を枢動自在にすることによって、下ロクロ３０が所定位置に位置決めしても受け骨５０の外端と親骨４０との相対位置が固定されないようにしたためである。
【００１９】
図４に示すように、強風に煽られる際に、親骨４０及び受け骨５０が上方に枢動することによって、リンク部材４３への強風の衝撃を緩和することができる。さらに、図５及び図６に示すように、傘生地６０が強風によって裏返った際は、傘生地６０を元に戻せばよい。このように、本考案において、強風に耐えると共に、簡単に壊れることのない折り畳み傘のリンク部材構造を提供することができる。
【００２０】
本考案に係る他の実施例について、枢設骨４４の２つのクリップ部をタブに変え、リンク部材４３のタブ４３１をクリップ部に変え、受け骨５０の外端にクリップ部を形成して、ピン４６を介して枢設骨４４をリンク部材４３と受け骨５０との間にを枢設するようにしてもよい。また、受け骨５０の外端が枢設骨４４の端部に枢設されても構わない。本考案に係る他の実施例は、前記実施例と同一の効果を有する。
【符号の説明】
【００２１】
１０    中棒
２０    上ロクロ
３０    下ロクロ
４０    親骨
４１    後段
４２    中段
４３    リンク部材
４３１  タブ
４４    枢設骨
４４１  第一クリップ部
４４２  第二クリップ部
４５    前段
４６    ピン
５０    受け骨
６０    傘生地
９１    中棒
９２    上ロクロ
９３    下ロクロ
９４    親骨
９４１  後段
９４２  前段
９４３  リンク部材
９５    受け骨
【図１】
0003171063.tif 000003
【図２】
0003171063.tif 000004
【図３】
0003171063.tif 000005
【図４】
0003171063.tif 000006
【図５】
0003171063.tif 000007
【図６】
0003171063.tif 000008
【図７】
0003171063.tif 000009